(57)【要約】【課題】扉体を有する筐体の、扉体の開閉を可能にするために設けられる蝶番において、扉体の取付け、及び取外し作業を行う際に蝶番ピンの落下や紛失等する恐れを少なくすることが可能な蝶番を提供する。【解決手段】筐体の箱体本体と扉体との間に設けられる蝶番であって、この蝶番は第一蝶番金具と、第一蝶番金具に掛合する第二蝶番金具と、第二蝶番金具と第一蝶番金具との夫々に設けた蝶番ピン挿通孔を貫通して設けられる蝶番ピンとからなり、第二蝶番金具は板材を折曲加工して凹部を形成し、凹部を部分的に延長して設けた延長部と、延長部と扉体とにより閉鎖形状を構成してなる。【選択図】図２
2010138654.tif 000002
【特許請求の範囲】
【請求項１】
筐体の箱体本体と扉体との間に設けられる蝶番であって、該蝶番は第一蝶番金具と、該第一蝶番金具に掛合する第二蝶番金具と、該第二蝶番金具と前記第一蝶番金具との夫々に設けた蝶番ピン挿通孔を貫通して設けられると共に引掛部を設けた蝶番ピンとからなり、前記第二蝶番金具は板材を折曲加工して凹部を形成し、該凹部を部分的に延長して設けた延長部と、該延長部と前記扉体とにより閉鎖形状を構成することを特徴とする蝶番。
【発明の詳細な説明】
【技術分野】
【０００１】
本発明は、例えば電気機器を収納する筐体に用いられる蝶番に関するものである。
【背景技術】
【０００２】
従来、蝶番には特許文献１に記載されているような、箱体本体４１に設けた水切り部に切欠部７０を形成し、扉体４２を箱体本体４１に取り付ける際には蝶番ピン４５の引掛部４６を上側の切欠部７０に係止させ、扉体４２を箱体本体４１から取り外す際には蝶番ピン４５の引掛部４６を下側の切欠部７０に係止させて蝶番ピン４５を固定し、蝶番ピン４５の落下や紛失等を防ぐものがある。
【０００３】
しかしながら、上記の発明では箱体本体に切欠部を設けるため、箱体本体の強度が落ちる恐れがあるという欠点がある。又、部品点数が増えるためコストがかかり、作業に要する時間も増える恐れがあるという欠点がある。
【０００４】
この改善策として、特許文献２に記載されているような、箱体本体５１には第一蝶番金具５３を、扉体には第二蝶番金具５４を設け、それぞれに蝶番ピン挿通孔５７を形成し、蝶番ピン５５の先端には蝶番フックを取り付け、蝶番の蝶番ピン挿通孔５７近傍にボスを設けると共に、ボスに対向する位置にボス受けを形成し、蝶番ピン５５を第一蝶番金具５３と第二蝶番金具５４との蝶番ピン挿通孔５７に挿通し、蝶番に設けられたボスにボス受けを係合させて蝶番ピン５５を固定し、蝶番ピン５５の落下や紛失等を防ぐものがある。
【特許文献１】特開２００２−００４６９５
【特許文献２】特開２００５−０９７８４４
【発明の開示】
【発明が解決しようとする課題】
【０００５】
しかしながら、特許文献２に記載の発明では、蝶番金具と蝶番ピンの他に蝶番フックを用いるためコストがかかるという欠点があり、又、部品点数が増えるため組み立ての際に要する工程数が増え、作業効率が低下する恐れがあるという欠点がある。
【０００６】
又、蝶番ピンや蝶番金具にボスやボス受けを設けるため、製造工程数が増え、製造に時間がかかるという欠点がある。
【０００７】
このため、本発明によって解決しようとする課題は、蝶番によって扉体の開閉が可能な筐体において、扉体を取外す際や取付ける際に蝶番ピンを落下や紛失等する恐れの少ない構造を少ない部品数で可能とした蝶番を提供することにある。
【課題を解決するための手段】
【０００８】
上記した課題を解決するためになされた本発明の蝶番は、筐体の箱体本体と扉体との間に設けられる蝶番であって、蝶番は第一蝶番金具と、第一蝶番金具に掛合する第二蝶番金具と、第二蝶番金具と第一蝶番金具との夫々に設けた蝶番ピン挿通孔を貫通して設けられると共に引掛部を設けた蝶番ピンとからなり、第二蝶番金具は板材を折曲加工して凹部を形成し、凹部を部分的に延長して設けた延長部と、延長部と扉体とにより閉鎖形状を構成してなる。
【発明の効果】
【０００９】
本発明の蝶番によれば、扉体と第二蝶番金具に設けた延長部とによって閉鎖形状を構成し、又、蝶番ピンの引掛部を延長部に引っ掛けて固定するため、蝶番ピンを落下や紛失等する恐れを少なくし、作業効率の向上を図ることが可能である。
【００１０】
又、別部材を用いず、第二蝶番金具によって蝶番ピンの落下や紛失等の恐れを少なくするため、コストの削減が可能である。
【００１１】
又、第二蝶番金具に掛合し、蝶番ピンを通すことが可能な蝶番金具であれば良いため、第一蝶番金具を選ばずに用いることが可能である。
【００１２】
又、第二蝶番金具は上下の向きの区別なく用いることができるため、上方向、又は下方向のスペースが少ない場合であっても用いることが可能である。
【発明を実施するための最良の形態】
【００１３】
本発明では、蝶番ピンを落下や紛失等する恐れの少ない蝶番の構造を少ない部品数で可能にした。
【実施例１】
【００１４】
以下、本発明の実施の形態を説明する。
筐体の箱体本体と扉体２との間に設けられる蝶番であって、この蝶番は箱体本体に設けられる第一蝶番金具と、第一蝶番金具に掛合すると共に扉体２にネジ１０によって取り付けられる第二蝶番金具４と、第二蝶番金具４と第一蝶番金具との夫々に設けた蝶番ピン挿通孔７を貫通して設けられると共に引掛部６を設けた蝶番ピン５とからなり、第二蝶番金具４は板材を折曲加工して凹部を形成し、凹部の一部分を延長して設けた延長部８と、延長部と扉体２とにより閉鎖形状を構成してなる。扉体２周縁の蝶番を設ける側の端部には折り返し部９を設け、第二蝶番金具４には凹部の上下の幅よりも狭い幅で延長部８を設け、第一蝶番金具は第二蝶番金具４と掛合される位置に合わせて設ける。これにより、扉体２に設けられた折り返し部９と第二蝶番金具４の凹部とにより閉鎖形状を構成し、蝶番ピン５の落下や紛失等を防ぎ、又、延長部８の上部、又は下部に引掛部６を引掛けることにより、扉体２の取付け、又は取外し作業の際に蝶番ピン５を固定するため、蝶番ピン５を落下や紛失等する恐れを少なくし、作業効率の向上を図ることが可能である。又、箱体本体や扉体２への特別な加工や別部材を必要としないため、コストの削減が可能である。
【実施例２】
【００１５】
筐体の箱体本体１１、２１と扉体１２、２２との間に設けられる蝶番であって、この蝶番は箱体本体１１、２１に設けられる第一蝶番金具１３、２３と、第一蝶番金具１３、２３に掛合すると共に扉体１２、２２にネジ２０、３０によって取り付けられる第二蝶番金具１４、２４と、第二蝶番金具１４、２４と第一蝶番金具１３、２３との夫々に設けた蝶番ピン挿通孔１７、２７を貫通して設けられると共に引掛部１６、２６を設けた蝶番ピン１５、２５とからなり、第二蝶番金具１４、２４は板材を折曲加工して凹部を形成し、凹部の一部分を延長して設けた延長部１８、２８と、延長部１８、２８と扉体１２、２２とにより閉鎖形状を構成してなる。扉体１２、２２周縁の蝶番を設ける側の端部には折り返し部１９、２９を設け、第二蝶番金具１４、２４には板材を折曲して形成した凹部二つを互い違いの向きに上下に配置し、上側凹部には上下の幅よりも狭い幅で形成した延長部１８、２８を設け、第一蝶番金具１３、２３は第二蝶番金具１４、２４と掛合される位置に合わせて設ける。これにより、扉体１２、２２に設けられた折り返し部１９、２９と第二蝶番金具１４、２４の上側凹部とにより閉鎖形状を構成し、蝶番ピン１５、２５の落下や紛失等を防ぎ、又、延長部１８、２８の上部、又は下部に蝶番ピン１５、２５を引っ掛けることにより、扉体１２、２２の取付け、又は取外し作業の際に蝶番ピン１５、２５を固定するため、蝶番ピン１５、２５を落下や紛失等する恐れを少なくし、作業効率の向上を図ることが可能である。又、箱体本体１１、２１や扉体１２、２２への特別な加工や別部材を必要としないため、コストの削減が可能である。又、第二蝶番金具１４、２４の下側凹部の蝶番ピン１５、２５当接位置にも蝶番ピン挿通孔１７、２７を設けることにより、蝶番ピン１５、２５を延長部１８、２８下側において固定した際に蝶番ピン１５、２５がぐらつく恐れを少なくすることが可能となる。これにより、扉体１２、２２や箱体本体１１、２１等が損傷する恐れを少なくすることが可能である。
【実施例３】
【００１６】
筐体の箱体本体と扉体との間に設けられる蝶番であって、この蝶番は箱体本体に設けられる第一蝶番金具と、第一蝶番金具に掛合すると共に扉体にネジによって取り付けられる第二蝶番金具３４と、第二蝶番金具３４と第一蝶番金具との夫々に設けた蝶番ピン挿通孔３７を貫通して設けられると共に引掛部を設けた蝶番ピンとからなり、第二蝶番金具３４は板材を折曲加工して凹部を形成し、凹部の両側面を延長して設けた延長部３８と、延長部３８と扉体とにより閉鎖形状を構成してなる。扉体周縁の蝶番を設ける側の端部には折曲部を設け、第二蝶番金具３４の凹部に設ける延長部３８は上下の幅よりも狭い幅で設け、第一蝶番金具は第二蝶番金具３４と掛合される位置に合わせて設ける。これにより、扉体に設けられた折り返し部と第二蝶番金具３４の凹部とにより閉鎖形状を構成し、蝶番ピンの落下や紛失等を防ぎ、又、延長部３８の上部、又は下部に蝶番ピンを引っ掛けることにより、扉体の取付け、又は取外し作業の際に蝶番ピンを固定するため、蝶番ピンを落下や紛失等する恐れを少なくし、作業効率の向上を図ることが可能である。又、箱体本体や扉体への特別な加工や別部材を必要としないため、コストの削減が可能である。又、折り返し部によって略コ字状が形成されていない扉体であっても、略L字状に形成した折曲部があれば取り付け可能である。これにより、既存の筐体においても第二蝶番金具３４の取替えのみで実施可能である。
【００１７】
以上のように、本発明の蝶番は、板材を折曲して形成した凹部を部分的に延長して延長部と設けることにより、この延長部と扉体とによって閉鎖形状を構成し、蝶番ピンを落下や紛失等する恐れを少なくすることが可能となるものである。
【図面の簡単な説明】
【００１８】
【図１】本発明の実施例１における、蝶番の拡大分解斜視図である。
【図２】本発明の実施例２における、扉体を取付けた際の第二蝶番金具の斜視図である。
【図３】本発明の実施例２における、扉体を取外す際の第二蝶番金具の斜視図である。
【図４】本発明の実施例３における、凹部の両側面に延長部を設けた第二蝶番金具の背面斜視図である。
【図５】従来技術における、特許文献１に記載の蝶番の斜視図である。
【図６】従来技術における、特許文献２に記載の蝶番の斜視図である。
【符号の説明】
【００１９】
１１、２１、４１、５１    箱体本体
２、１２、２２、４２、５２    扉体
１３、２３、４３、５３    第一蝶番金具
４、１４、２４、３４、４４、５４    第二蝶番金具
５、１５、２５、４５、５５    蝶番ピン
６、１６、２６    引掛部
１７、２７、３７、４７、５７    蝶番ピン挿通孔
８、１８、２８、３８    延長部
９、１９、２９    折り返し部
１０、２０、３０    ネジ
７０    切欠部
【図１】
2010138654.tif 000003
【図２】
2010138654.tif 000004
【図３】
2010138654.tif 000005
【図４】
2010138654.tif 000006
【図５】
2010138654.tif 000007
【図６】
2010138654.tif 000008